(57)【要約】【課題】端子金具を係止位置までガイドし易く、かつ、端子金具のガタツキを防止することができる端子金具とコネクタハウジングとの係止構造を提供すること。【解決手段】端子金具１０の係止突起部１４と、コネクタハウジング２０の弾性係止アーム部２５と、によって端子金具１０を端子収容室２２内に係止する端子金具とコネクタハウジングとの係止構造１において、端子金具１０の底面１０ａに向かい合う内部底面２２ｃに設け、係止突起部１４を係止位置に向けてガイドするように係止位置の端子金具１０の圧着部１５から基端部２５ａまで形成した溝であり、かつ、溝上端面３０ａが係止位置の端子金具１０の圧着部１５との隙間を小さくするように形成したガイド溝部３０を有する。【選択図】図１１
2015230859.tif 000002
【特許請求の範囲】
【請求項１】
相手端子に接続する部分であり、底面に係止突起部を突設した相手接続部を前端側に設け、かつ、電線の端末部に圧着する圧着部を後端側に設けた端子金具の前記係止突起部と、コネクタハウジングの前記端子金具を収容する端子収容室の内部底面に基端部を設け、かつ、前記係止突起部に自由端となる先端を当接することによって前記端子金具が前記端子収容室から離脱する方向に移動することを阻止する弾性係止アーム部と、によって前記端子金具を前記端子収容室内に係止する端子金具とコネクタハウジングとの係止構造において、
前記端子金具の前記底面に向かい合う前記内部底面に設け、前記係止突起部を係止位置に向けてガイドするように係止位置の前記端子金具の前記圧着部から前記基端部まで形成した溝であり、かつ、溝上端面が係止位置の前記端子金具の前記圧着部との隙間を小さくするように形成したガイド溝部
を有する
ことを特徴とする端子金具とコネクタハウジングとの係止構造。
【請求項２】
前記ガイド溝部は、
前記端子収容室内に前記端子金具を挿入するための入口となる端子挿入口から前記弾性係止アーム部の前記基端部まで連続して形成した溝である
ことを特徴とする請求項１に記載の端子金具とコネクタハウジングとの係止構造。
【請求項３】
前記ガイド溝部は、
前記係止突起部を間に嵌め込み可能に間隔を開けて立設した一対のガイド壁が溝内側面を形成し、該一対のガイド壁が前記基端部の両側部に連接する
ことを特徴とする請求項１または２に記載の端子金具とコネクタハウジングとの係止構造。
【発明の詳細な説明】
【技術分野】
【０００１】
本発明は、端子金具を端子収容室内に係止する端子金具とコネクタハウジングとの係止構造に関する。
【背景技術】
【０００２】
従来、コネクタハウジングの端子収容室内に端子金具を係止する端子金具とコネクタハウジングとの係止構造は、端子金具の一部に自由端側の先端を当接することによって端子金具が端子収容室から離脱する方向に移動することを阻止する弾性係止アーム部を端子収容室内に片持ち片状に設けるものが提案されている（例えば、特許文献１参照）。
【０００３】
特許文献１に記載された端子金具とコネクタハウジングとの係止構造は、ランス（弾性係止アーム部）の基端部周辺に係止突起部を係止位置に向けてガイドする突部挿通溝（ガイド溝部）を形成している。
【先行技術文献】
【特許文献】
【０００４】
【特許文献１】特開２００５−１９２８２号公報
【発明の概要】
【発明が解決しようとする課題】
【０００５】
しかしながら、特許文献１に記載した端子金具とコネクタハウジングとの係止構造は、ガイド溝部の溝上端面が端子金具を支えるようになっているものの、バレル部（圧着部）を支えるようにはなっていないため、バレル部（圧着部）が自重方向にガタツキ易くなり、結果的に、端子金具のガタツキを抑えにくいという問題があった。
【０００６】
本発明は、上記に鑑みてなされたものであって、端子金具を係止位置までガイドし易く、かつ、端子金具のガタツキを防止することができる端子金具とコネクタハウジングとの係止構造を提供することを目的とする。
【課題を解決するための手段】
【０００７】
上述した課題を解決し、目的を達成するために、本発明の請求項１に係る端子金具とコネクタハウジングとの係止構造は、相手端子に接続する部分であり、底面に係止突起部を突設した相手接続部を前端側に設け、かつ、電線の端末部に圧着する圧着部を後端側に設けた端子金具の前記係止突起部と、コネクタハウジングの前記端子金具を収容する端子収容室の内部底面に基端部を設け、かつ、前記係止突起部に自由端となる先端を当接することによって前記端子金具が前記端子収容室から離脱する方向に移動することを阻止する弾性係止アーム部と、によって前記端子金具を前記端子収容室内に係止する端子金具とコネクタハウジングとの係止構造において、前記端子金具の前記底面に向かい合う前記内部底面に設け、前記係止突起部を係止位置に向けてガイドするように係止位置の前記端子金具の前記圧着部から前記基端部まで形成した溝であり、かつ、溝上端面が係止位置の前記端子金具の前記圧着部との隙間を小さくするように形成したガイド溝部を有することを特徴とする。
【０００８】
また、本発明の請求項２に係る端子金具とコネクタハウジングとの係止構造は、上記の発明において、前記ガイド溝部は、前記端子収容室内に前記端子金具を挿入するための入口となる端子挿入口から前記弾性係止アーム部の前記基端部まで連続して形成した溝であることを特徴とする。
【０００９】
また、本発明の請求項３に係る端子金具とコネクタハウジングとの係止構造は、上記の発明において、前記ガイド溝部は、前記係止突起部を間に嵌め込み可能に間隔を開けて立設した一対のガイド壁が溝内側面を形成し、該一対のガイド壁が前記基端部の両側部に連接することを特徴とする。
【発明の効果】
【００１０】
本発明の請求項１に係る端子金具とコネクタハウジングとの係止構造は、前記係止突起部が前記ガイド溝部によってガイドされることによって前記端子金具が係止位置までガイドされ、しかも、係止位置の前記端子金具の前記圧着部が前記ガイド溝部の前記溝上端面との間隔を小さくなるように調整されているので、係止位置の前記端子金具の前記圧着部が前記溝上端面にとの間を小さく、あるいは載置されるので、前記圧着部が自重方向にガタツキ難くなり、結果的に、端子金具を係止位置までガイドし易く、かつ、端子金具のガタツキを防止することができる。
【００１１】
本発明の請求項２に係る端子金具とコネクタハウジングとの係止構造は、前記端子金具を前記端子挿入口から前記端子収容室内に挿入する際、前記ガイド溝部を目印にして前記端子金具の向きを確認することができるので、前記コネクタハウジングへの前記端子金具の誤組み付けを防止することができる。
【００１２】
本発明の請求項３に係る端子金具とコネクタハウジングとの係止構造は、前記一対のガイド壁が、前記基端部の両側部に連接しているので、前記基端部の剛性を高めることができる。
【図面の簡単な説明】
【００１３】
【図１】図１は、本発明の実施例に係る端子金具とコネクタハウジングとの係止構造の分解斜視図である。
【図２】図２は、（ａ）が電線の端末部に圧着した端子金具の斜視図であり、（ｂ）が端子金具を下方から視た斜視図であり、（ｃ）が端子金具の前面図であり、（ｄ）が（ｃ）の端子金具のＡ−Ａ線断面図である。
【図３】図３は、コネクタハウジングの前面図である。
【図４】図４は、図３に示したコネクタハウジングのＢ−Ｂ線断面図である。
【図５】図５は、コネクタハウジングの弾性係止アーム部周辺を断面にすることによって弾性係止アーム部を斜め上方から視た図である。
【図６】図６は、（ａ）が端子収容室に端子金具を挿入途中状態のコネクタハウジングの前面図であり、（ｂ）が（ａ）に示したコネクタハウジングの側面図である。
【図７】図７は、（ａ）が図６（ａ）に示した端子収容室内に端子金具を挿入途中状態のコネクタハウジングのＣ−Ｃ線断面図である。
【図８】図８は、（ａ）が図６（ｂ）に示したコネクタハウジングのＤ−Ｄ線断面図であり、（ｂ）が（ａ）の下段の端子収容室を拡大した図である。
【図９】図９は、端子金具が端子収容室に挿入途中状態にあるコネクタハウジングの斜め断面図である。
【図１０】図１０は、（ａ）が端子金具を端子収容室内に係止したコネクタハウジングの前面図であり、（ｂ）が（ａ）に示したコネクタハウジングの側面図である。
【図１１】図１１は、（ａ）が図１０（ａ）に示したコネクタハウジングのＣ−Ｃ線断面図であり、（ｂ）が（ａ）に示した一つの端子収容室を拡大した図である。
【図１２】図１２は、（ａ）が図１０（ｂ）に示したコネクタハウジングのＤ−Ｄ線断面図であり、（ｂ）が（ａ）の一つの端子収容室を拡大した図である。
【発明を実施するための形態】
【００１４】
以下、図面を参照して、本発明に係る端子金具とコネクタハウジングとの係止構造の好適な実施例を詳細に説明する。
【実施例】
【００１５】
図１は、本発明の実施例に係る端子金具とコネクタハウジングとの係止構造の分解斜視図である。図２は、（ａ）が電線Ｗの端末部に圧着した端子金具の斜視図であり、（ｂ）が端子金具を下方から視た斜視図であり、（ｃ）が端子金具の前面図であり、（ｄ）が（ｃ）の端子金具のＡ−Ａ線断面図である。
なお、図２では、（ｂ）−（ｄ）が端子金具は電線に圧着していない状態のものを示している。
図３は、コネクタハウジングの前面図である。図４は、図３に示したコネクタハウジングのＢ−Ｂ線断面図である。図５は、コネクタハウジングの弾性係止アーム部周辺を断面にすることによって弾性係止アーム部を斜め上方から視た図である。図６は、（ａ）が端子収容室に端子金具を挿入途中状態のコネクタハウジングの前面図であり、（ｂ）が（ａ）に示したコネクタハウジングの側面図である。
なお、図６は、上段の端子収容室の端子金具を下段の端子収容室の端子金具に比して端子収容室の奥側位置まで挿入している。
図７は、（ａ）が図６（ａ）に示した端子収容室内に端子金具を挿入途中状態のコネクタハウジングのＣ−Ｃ線断面図である。図８は、（ａ）が図６（ｂ）に示したコネクタハウジングのＤ−Ｄ線断面図であり、（ｂ）が（ａ）の下段の端子収容室を拡大した図である。図９は、端子金具が端子収容室に挿入途中状態にあるコネクタハウジングの斜め断面図である。図１０は、（ａ）が端子金具を端子収容室内に係止したコネクタハウジングの前面図であり、（ｂ）が（ａ）に示したコネクタハウジングの側面図である。図１１は、（ａ）が図１０（ａ）に示したコネクタハウジングのＣ−Ｃ線断面図であり、（ｂ）が（ａ）に示した一つの端子収容室を拡大した図である。図１２は、（ａ）が図１０（ｂ）に示したコネクタハウジングのＤ−Ｄ線断面図であり、（ｂ）が（ａ）の一つの端子収容室を拡大した図である。
なお、図７、図９および図１１では、端子金具は電線に取り付けていない状態のものを示している。
また、本発明の実施例では説明の便宜上、図中に示すように前後、および上下方向を定義する。
【００１６】
本発明の実施例に係る端子金具とコネクタハウジングとの係止構造１は、相手端子に接続する部分であり、底面１０ａに係止突起部１４を突設した相手接続部１１を前端側に設け、かつ、電線Ｗの端末部に圧着する圧着部１５を後端側に設けた端子金具１０の係止突起部１４と、コネクタハウジング２０の端子金具１０を収容する端子収容室２２の内部底面２２ｃに基端部２５ａを設け、かつ、係止突起部１４に自由端となる先端を当接することによって端子金具１０が端子収容室２２から離脱する方向に移動することを阻止する弾性係止アーム部２５と、によって端子金具１０を端子収容室２２内に係止するものである。
【００１７】
まず、端子金具１０について説明する。
端子金具１０は、銅、あるいは銅合金等の金属からなる板状部材を金型プレス加工等によって成形したものである。この端子金具１０は、図２に示すように、電線Ｗの不図示の接続相手に接続する相手接続部１１と、電線Ｗの端末部に圧着する圧着部１５と、圧着部１５と、相手接続部１１との間を繋ぐ繋ぎ部１７と、を有する。
【００１８】
相手接続部１１は、角筒状をなす接続本体部１２の筒内に設けられた弾性接触片１２ｄに接続相手が接触されるようになっている。この相手接続部１１は、接続相手としての雄端子が接続する雌端子を構成している。
【００１９】
接続本体部１２は、底壁１２ａと、底壁１２ａに立設する一対の側壁１２ｂ、１２ｂと、天井壁１２ｃと、によって角筒形状を構成する。
底壁１２ａは、係止開口部１３と、係止突起部１４と、を有する。
【００２０】
係止開口部１３は、弾性復元した弾性係止アーム部２５が接続本体部１２内に係止のため侵入可能に形成した開口である。
【００２１】
係止突起部１４は、係止開口部１３の前側の開口内縁面１４の一部を下方に向けて突出するように形成した部分である。
この係止突起部１４は、横断面を円弧状に形成することによって、弾性係止アーム部２５に摺接しながら係止位置まで移動する際に摩擦抵抗を抑えてなめらかに移動できるようになっている。
【００２２】
なお、相手接続部１１は、雌端子を構成するものを例示したが、これに限らず、接続相手に接続できる構成になっていれば、その他の端子構成であっても構わない。
【００２３】
圧着部１５は、電線Ｗの露出した導体部Ｗ１に圧着する導体圧着部１５ａと、電線Ｗの絶縁被覆部Ｗ２に圧着する被覆圧着部１５ｂと、を有する。これら導体圧着部１５ａと被覆圧着部１５ｂとの間は中間部１６が連結している。
【００２４】
次に、コネクタハウジング２０について説明する。
コネクタハウジング２０は、合成樹脂等の絶縁材からなり、全体として直方体ブロック状をなしてコネクタハウジング２０の本体部分を構成するハウジング本体２１を有する。
このハウジング本体２１には、ハウジング本体２１を前後方向に貫通するように、横方向に６列、縦方向に２列の合計１２個の端子収容室２２を設けている。
なお、端子収容室２２の数は１２個に限定せず、１以上であればその他の数であっても構わない。
【００２５】
各端子収容室２２は、後端面に端子金具１０を挿入するための端子挿入口２２ａを設け、前端面に接続相手となる端子の端子金具１０との接続部分を挿入するための相手端子挿入口２２ｂを設けている。
【００２６】
この端子収容室２２は、主に端子金具１０の接続本体部１２が配置される接続本体配置部２３と、主に端子金具１０の圧着部１５が配置される圧着部分配置部２４と、を前端から後端に向けて空間を連続して設けている。
【００２７】
接続本体配置部２３は、端子収容室２２の収容空間を接続本体部１２の横断面形状に対応した矩形状に形成した部分である。
圧着部分配置部２４は、端子収容室２２の収容空間を電線Ｗに圧着した圧着部１５の横断面形状に対応して形成した部分である。
この実施例では、圧着部分配置部２４が接続本体配置部２３より大きい横断面の面積となる空間を形成するようになっている。
【００２８】
弾性係止アーム部２５は、基端部２５ａから自由端となる先端に向けてなだらかに上方傾斜するように端子収容室２２内に片持ち片状に設けている。
この弾性係止アーム部２５は、先端延在部２５ｂを有する。
【００２９】
先端延在部２５ｂは、端子金具１０の係止状態を解除するために不図示の係止解除用の治具を引っ掛けて弾性係止アーム部２５を係止解除方向にたわませるための部分である。
【００３０】
また、コネクタハウジング２０は、係止状態を解除するために不図示の係止解除用の治具を挿入するための治具挿入空間２６を形成している。
この治具挿入空間２６は、端子収容室２２の下側から端子収容室２２に繋がる空間であり、コネクタハウジング２０の前端に形成した治具挿入口２６ａからたわみ空間２７まで連続した空間をなしている。
【００３１】
たわみ空間２７は、端子金具１０が端子収容室２２の端子挿入口２２ａから端子収容室２２の係止位置まで移動する際、係止突起部１４が摺接することによって、弾性係止アーム部２５が中立状態から係止解除方向にたわみ変形した場合に、弾性係止アーム部２５を受け入れるための空間である。
【００３２】
また、各端子収容室２２は、端子金具１０の底面１０ａに向かい合う端子収容室２２の内部底面２２ｃに設け、係止突起部１４を係止位置に向けてガイドするように係止位置の端子金具１０の圧着部１５から弾性係止アーム２５の基端部２５ａまで形成した溝であり、かつ、溝上端面３０ａが係止位置の端子金具１０の圧着部１５との隙間を小さくするように形成したガイド溝部３０を有する。
【００３３】
ガイド溝部３０は、端子収容室２２内に端子金具１０を挿入するための入口となる端子挿入口２２ａから弾性係止アーム部２５の基端部２５ａまで連続して形成した溝である。
【００３４】
より具体的には、ガイド溝部３０は、端子挿入口２２ａから端子収容室２２内方に位置する弾性係止アーム部２５の基端部２５ａまで直線状に延びた溝である。このガイド溝部３０は、端子収容部２２の内部底面２２ｃを溝底面とし、溝底面上に係止突起部１４を間に嵌め込み可能に間隔を開けて立設した一対のガイド壁３１、３１が溝内側面３０ｂ、３０ｂを形成するようになっている。
【００３５】
一対のガイド壁３１、３１は、端子挿入口２２ａから弾性係止アーム部２５の基端部２５ａまで直線状に延びた壁である。このような一対のガイド壁３１、３１は、基端部２５ａの両側部に連接することによって基端部２５ａの剛性を高めるようになっている。
【００３６】
また、ガイド溝部３０は、端子金具１０の挿入口となる端子挿入口２２ａから形成しているので、端子金具１０を端子挿入口２２ａから端子収容室２２内に挿入する際、係止突起部１４の向きをガイド溝部３０に対応させることによって、端子金具１０を端子収容室２２に挿入する際の、正規の向き確認することができる。
すなわち、ガイド溝部３０は、端子金具１０の向きを確認するための目印としての機能もなしている。
【００３７】
次に、端子金具１０を端子挿入口２２ａに挿入してから係止位置に配置するまでの端子金具１０およびコネクタハウジング２０の各部の動作について説明する。
まず、端子金具１０は、係止突起部１４をガイド溝部３０に嵌め込むようにして端子挿入口２２ａから端子収容室２２内方に向けて挿入開始されると、接続本体部１２が接続本体配置部２３に侵入する。これにより接続本体部１２が接続本体配置部２３の内壁面との隙間を僅かにして所定の係止位置に向けて移動される。
【００３８】
この状態になると、端子金具１０のガタツキが少なくなり、係止突起部１４がガイド溝部３０から抜け難くなり、端子金具１０がガイド溝部３０によってより安定して係止位置までガイドされるようになる。
【００３９】
さらに端子金具１０が端子収容室２２内方に向けて移動すると、端子金具１０の先端が弾性係止アーム部２５の基端部２５ａに摺接する。
これにより、弾性係止アーム部２５がたわみ空間２７側に弾性変形し、係止突起部１４が弾性係止アーム部２５を乗り越えるようにして弾性係止アーム部２５の先端面より端子収容室２２の内方側に移動する（図７、および図９参照）。
【００４０】
係止突起部１４が弾性係止アーム部２５の先端面より端子収容室２２の内方側に移動すると、弾性係止アーム部２５が弾性的に復元し、端子金具１０の係止開口部１３に侵入することによって、端子金具１０が端子収容室２２内に係止される（図１１参照）。
この係止完了状態では、端子金具１０が端子収容室２２から離脱する方向に移動すると、弾性係止アーム部２５の先端が係止突起部１４に当接することによって、端子金具１０が端子収容室２２から離脱することを阻止する。
【００４１】
なお、この係止完了状態では、図１１（ｂ）に示すように、端子金具１０が圧着部１５をガイド溝部３０の溝上端面３０ａとの隙間を僅かにした状態、あるいは、圧着部１５をガイド溝部３０の溝上端面３０ａに載置した状態で端子収容室２２内に係止される。
【００４２】
なお、この実施例では、係止位置の端子金具１０の相手接続部１１の一部までガイド溝部３０が延びているため、端子金具１０は、相手接続部１１の一部をガイド溝部３０の溝上端面３０ａとの隙間を僅かにした状態、あるいは、相手接続部１１の一部をガイド溝部３０の溝上端面３０ａに載置した状態で端子収容室２２内に係止される。
【００４３】
本発明の実施例に係る端子金具とコネクタハウジングとの係止構造１は、係止突起部１４がガイド溝部３０によってガイドされることによって端子金具１０が係止位置までガイドされ、しかも、係止位置の端子金具１０の圧着部１５がガイド溝部３０の溝上端面３０ａとの間隔を小さくなるように調整されているので、係止位置の端子金具１０の圧着部１５が溝上端面３０ａにとの間を小さく、あるいは載置されるので、圧着部１５が自重方向にガタツキ難くなり、結果的に、端子金具１０を係止位置までガイドし易く、かつ、端子金具１０のガタツキを防止することができる。
【００４４】
また、本発明の実施例に係る端子金具とコネクタハウジングとの係止構造１は、端子金具１０を端子挿入口２２ａから端子収容室２２内に挿入する際、ガイド溝部３０を目印にして端子金具１０の向きを確認することができるので、コネクタハウジング２０への端子金具１０の誤組み付けを防止することができる。
【００４５】
また、本発明の実施例に係る端子金具とコネクタハウジングとの係止構造１は、一対のガイド壁３１が、基端部２５ａの両側部に連接しているので、基端部２５ａの剛性を高めることができる。
【００４６】
本発明の実施例に係る端子金具とコネクタハウジングとの係止構造１は、ガイド溝部３０を端子挿入口２２ａから形成するものを例示したが、これに限らず、ガイド溝部３０の溝上端面３０ａが圧着部１５を支持することができるようになっていればよい。より好ましくは、係止位置の端子金具１０の圧着部１５の後端面から端子収容室２２内方に延びる圧着部１５を下方から支持することができるようになっていればよい。
【００４７】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４８】
１      端子金具とコネクタハウジングとの係止構造
１０    端子金具
１０ａ  底面
１１    相手接続部
１２    接続本体部
１２ａ  底壁
１２ｂ  側壁
１２ｃ  天井壁
１２ｄ  弾性接触
１３    係止開口部
１３ａ  開口内縁面
１４    係止突起部
１５    圧着部
１５ａ  導体圧着部
１５ｂ  被覆圧着部
１６    中間部
１７    繋ぎ部
２０    コネクタハウジング
２１    ハウジング本体
２２    端子収容室
２２ａ  端子挿入口
２２ｂ  相手端子挿入口
２２ｃ  内部底面
２３    接続本体配置部
２４    圧着部分配置部
２５    弾性係止アーム部
２５ａ  基端部
２６    治具挿入空間
２６ａ  治具挿入口
２７    たわみ空間
３０    ガイド溝部
３０ａ  溝上端面
３０ｂ  溝内側面
３１    ガイド壁
Ｗ      電線
Ｗ１    導体部
Ｗ２    絶縁被覆部
【図１】
2015230859.tif 000003
【図２】
2015230859.tif 000004
【図３】
2015230859.tif 000005
【図４】
2015230859.tif 000006
【図５】
2015230859.tif 000007
【図６】
2015230859.tif 000008
【図７】
2015230859.tif 000009
【図８】
2015230859.tif 000010
【図９】
2015230859.tif 000011
【図１０】
2015230859.tif 000012
【図１１】
2015230859.tif 000013
【図１２】
2015230859.tif 000014